(57)【特許請求の範囲】
【請求項１】
分煙機本体に少なくとも１以上の空気吸引口及び少なくとも１以上の空気排出口を設けると共に、これら空気吸引口と空気排出口との間に位置する前記分煙機本体内に送風機及び空気清浄装置を収納し、且つ前記分煙機本体の両側に機能拡大用ボックスを着脱自在に設けてなり、前記機能拡大用ボックスは、吸殻収容筒体に吸殻導入部を有する蓋を着脱自在に取り付け前記吸殻導入部がこれの入口側開口の中心軸線から外れた位置に出口側開口を位置させてなる自然消煙式灰皿を、内蔵していることを特徴とする分煙機。
【請求項２】
前記空気清浄装置における電気集塵機は、互いに平行に配設した複数の正電極板と、該複数の正電極板の間に所定間隔を保持して互いに平行に配設した複数の負電極板と、前記複数の正電極板と複数の負電極板との間に高電圧を印加することによりこれら複数の正電極板と複数の負電極板との間に電荷を蓄積させる高圧電源と、該高圧電源と複数の正電極板との間に介在し少なくとも正電極板１枚おきに直列に接続した高抵抗体と、からなる集塵部を、具備したものである請求項１記載の分煙機。
【請求項３】
前記空気清浄装置における電気集塵機は、互いに平行に配設した複数の正電極板と、該複数の正電極板の間に所定間隔を保持して互いに平行に配設した複数の負電極板と、前記複数の正電極板と複数の負電極板との間に高電圧を印加することにより、これら複数の正電極板と複数の負電極板との間に電荷を蓄積させる高圧電源と、該高圧電源と複数の正電極板との間に介在し少なくとも正電極板１枚おきに直列に接続した高抵抗体と、前記高圧電源と複数の負電極板との間に介在し少なくとも負電極板１枚おきに直列に接続した高抵抗体と、からなる集塵部を、具備したものである請求項１記載の分煙機。
【請求項４】
前記分煙機本体に人感知センサを設けて人の有無の感知情報により、送風機及び空気清浄装置を作動させる請求項１、２又は３記載の分煙機。
【発明の詳細な説明】
【０００１】
【発明の属する技術分野】
本発明は、分煙機に関し、詳しくは分煙機本体に種々の機能を後付け出来ると共に設置時の音及びエネルギーを逓減した分煙機に関する。
【０００２】
【従来の技術】
現在、図１３に示すように、分煙機ａは、その分煙機本体ｂに少なくとも１以上の空気吸引口ｃ及び少なくとも１以上の空気排出口ｄを設け、これら空気吸引口ｃと空気排出口ｄとの間に位置する分煙機本体ｂ内に送風機ｅ及び空気清浄装置ｆを収納してなるものである。この分煙機ａは、煙草の煙を直ちに吸引して清浄化するから、煙草を吸う人、吸わない人が、相隣席しても非喫煙者に不快感をほとんど感じさせず、喫煙者の気兼ねが大幅に減るため、近年急速に普及している。この分煙機ａは、使用時に電源スイッチをオンすると、送風機ｅが作動し分煙機ａ周辺の煙草の煙を空気と共に空気吸引口ｃから吸引し、空気清浄装置ｆのプレフィルタｇにより粗大粒子を除去し、電気集塵機ｈに入り込まないようにしてパチパチ音の発生を防ぎ、この電気集塵機ｈにより微細粒子を除去して、更に脱臭フィルタｉにより臭いを取り、空気排出口ｄから清浄化空気を排出するものである。そして、不使用時にオフすることで、この分煙機ａは運転を停止するものである。
【０００３】
ところが、この分煙機ａを導入したあと、種々の状況の変化により、分煙機ａに種々の機能を付与したい場合が生じる。例えば、この分煙機ａには当然のことながら灰皿が必要となるから、分煙機ａ上あるいは近傍に別体の灰皿を置くが、灰皿内の灰がこぼれたり、飛散したり、灰皿が行方不明になったりして分煙機ａ周辺が汚れ、吸殻が分煙機ａ周辺に投棄されたりするケースがあり、それを改善するには、分煙機ａの天板ｊに孔ｋを開け、その孔ｋに灰皿ｌを設置していた。また、分煙機ａ周囲で喫煙できる人数を増やしたい場合には、分煙機ａを増設していた。
【０００４】
【発明が解決しようとする課題】
しかしながら、上述の分煙機ａは、後付けで種々の機能を付与する構造となっていないから、上記の例の灰皿ｌの場合は、スペース上や納入先での天板ｊの孔開け作業は困難であり、事実上後付けで灰皿ｌを設けることは出来ない。更に、喫煙できる人数を増やしたい場合には分煙機ａをもう１台購入しなければならず、増設しないままでは分煙機ａ周囲で喫煙している人の後ろで喫煙することになり、分煙機ａによる空気清浄機能を期待できなくなる。
【０００５】
更に、電気集塵機ｈによる放電音であるパチパチ音の発生を防ぐためプレフィルタｇの目を細かいものにすることは、圧力損失を招き送風機に負担がかかり、運転音が上昇するしエネルギーも無駄にすることになる。また、分煙機ａの運転開始・停止を電源スイッチのオン・オフのみに頼ることは、分煙機ａの運転開始・停止を忘れることに繋がる。運転開始を忘れることは、分煙機ａを設置してあっても空気清浄機能を使用しないことであり、運転停止を忘れることは、喫煙していないのに分煙機ａを稼働させエネルギーを無駄にするし、稼働中は煙草の煙が無くても、空気を清浄化しているから、それはそれで室内の空気を清浄化しているから良いと言えるが、目的とする煙草の煙の除去以外で分煙機ａの空気清浄機能を消費して機能低下を招き、その分メンテナンスに負担がかかることになる。
【０００６】
そこで、本発明は、上記事情に鑑みてなされたもので、▲１▼目的とする機能を容易に拡大可能で、▲２▼放電によるパチパチ音の発生を押さえ、▲３▼しかも煙草の煙が発生する蓋然性のある場合に確実に清浄化することの出来る分煙機を提供することを課題とする。
【０００７】
【発明が解決しようとする課題】
上記▲１▼の課題を解決するため、請求項１記載の発明は、分煙機本体に少なくとも１以上の空気吸引口及び少なくとも１以上の空気排出口を設けると共に、これら空気吸引口と空気排出口との間に位置する前記分煙機本体内に送風機及び空気清浄装置を収納し、且つ前記分煙機本体の両側に機能拡大用ボックスを着脱自在に設けてなり、前記機能拡大用ボックスは、吸殻収容筒体に吸殻導入部を有する蓋を着脱自在に取り付け前記吸殻導入部がこれの入口側開口の中心軸線から外れた位置に出口側開口を位置させてなる自然消煙式灰皿を、内蔵していることを特徴とする。
【０００８】
したがって、この特徴によれば、機能拡大用ボックスを分煙機本体に着した分その回りに居ることの出来る喫煙者が増える。そして、自然消煙式灰皿の吸殻導入部からまだ火の付いた吸殻が吸殻収容筒体内に入った場合、吸殻収容筒体内は既に投入された吸殻の燃焼により、炭酸ガスが充満して酸欠状態となっているから、吸殻の火は消える。仮に、吸殻収容筒体内の温度が上がって、上昇気流が生じても出口側開口の位置が入口側開口の中心軸線から外れているから、外部に出づらく吸殻収容筒体内の炭酸ガスが外部の空気と置換することがほとんど生じず、吸殻収容筒体内の酸欠状態は維持される。
【０００９】
上記▲２▼の課題を解決するため、請求項２の発明は、前記空気清浄装置における電気集塵機は、互いに平行に配設した複数の正電極板と、該複数の正電極板の間に所定間隔を保持して互いに平行に配設した複数の負電極板と、前記複数の正電極板と複数の負電極板との間に高電圧を印加することによりこれら複数の正電極板と複数の負電極板との間に電荷を蓄積させる高圧電源と、該高圧電源と複数の正電極板との間に介在し少なくとも正電極板１枚おきに直列に接続した高抵抗体と、からなる集塵部を、具備したものであることを特徴とする。したがって、この特徴によれば、高圧電源と複数の正電極板との間に少なくとも正電極板１枚おきに直列に高抵抗体を接続してあるから、絶縁破壊が発生した一対の正電極板及び負電極板の間以外の、他の残り多数の正電極板及び負電極板の間に蓄えられていた電荷は、直列の高抵抗体に阻まれて一定値に収束し放電規模が常時縮小し放電音が小さくなり、且つ放電による電圧及び電流の少なくとも一方の変化を検知出来る。
【００１０】
上記▲２▼の課題を解決するため、請求項３の発明は、前記空気清浄装置における電気集塵機は、互いに平行に配設した複数の正電極板と、該複数の正電極板の間に所定間隔を保持して互いに平行に配設した複数の負電極板と、前記複数の正電極板と複数の負電極板との間に高電圧を印加することにより、これら複数の正電極板と複数の負電極板との間に電荷を蓄積させる高圧電源と、該高圧電源と複数の正電極板との間に介在し少なくとも正電極板１枚おきに直列に接続した高抵抗体と、前記高圧電源と複数の負電極板との間に介在し少なくとも負電極板１枚おきに直列に接続した高抵抗体と、からなる集塵部を、具備したものであることを特徴とする。したがって、この特徴によれば、正電極板側に接続した高抵抗体が破壊されても、放電規模が常時縮小し放電音が小さくなり、且つ放電による電圧及び電流の少なくとも一方の変化を検知出来る。
【００１１】
上記▲３▼の課題を解決するため、請求項４の発明は、前記分煙機本体に人感知センサを設けて人の有無の感知情報により、送風機及び空気清浄装置を作動させることを特徴とする。したがって、この特徴によれば、人感知センサにより人の有無を感知しない限り、送風機及び空気清浄装置を作動・停止させない。
【００１２】
【発明の実施の形態】
以下、本発明の実施の形態を図１−１２に基づいて詳述する。
図１は本発明の実施形態を示す分煙機の斜視図、図２はその断面図である。両図において、分煙機１は、分煙機本体２に着脱自在の機能拡大用ボックス３を取り付けたものであり、拡大した機能を有するものである。この分煙機本体２は、少なくとも１以上の空気吸引口４及び少なくとも１以上の空気排出口５を設け、これら空気吸引口４と空気排出口５との間に位置する分煙機本体２内に送風機６及び空気清浄装置７を収納してなるものであり、この条件に沿う分煙機本体２であれば特に限定がない。
【００１３】
前記分煙機本体２は、一定の厚みを持った平板にて作られている機能拡大用天板１０及びこれの下面に取り付けて支持する箱体１１を有し、この箱体１１の底板１２にはキャスター１３が取り付けられ、自在に移動可能となっている。空気吸引口４は機能拡大用天板１０に設けてあり、この空気吸引口４に沿うように箱体１１の上板１４にも開口１５が開いている。この実施例では、後に詳述する竜巻式吸引装置１６が空気吸引口４を囲うようにして、機能拡大用天板１０上に設けてある。なお、図１中、８は電源線である。
【００１４】
前記竜巻式吸引装置１６は、前記送風機６を作動させると、後述の円筒体２０内に竜巻ｔが発生し、この竜巻ｔの特性である渦収束性により、機能拡大用天板１０の周辺にある煙草の煙を直ちに捕集するものである。この竜巻式吸引装置１６は、図３、４に示すように、円筒体２０の側壁２１に切欠口２２を設けると共に円筒体２０の長手方向両端の少なくとも一端に吸引孔２３を設け、この吸引孔２３を前記送風機６のサクション側に接続してなる。この吸引孔２３は側板２４に開けられ、上記形態の円筒体２０が２つあり、これら円筒体２０は切欠口２２反対向きにし、若干離した状態にして側板２４に固定している。さらに、円筒体２０の上方に天笠２５を取り付け、円筒体２０と天笠２５との隙間を吸引開口２６とし、この吸引開口２６は前記空気吸引口４を通して送風機６のサクション側に接続している。また、２つの吸引孔２３を覆うボックス２７を側板２４に固定して、ボックス２７にて２つの吸引孔２３を空気吸引口４を通して送風機６のサクション側に接続している。なお、ボックス２７と天笠２５との間にも吸引開口２６ａがある。また、図４中、２８はガードバーである。
【００１５】
前記機能拡大用ボックス３は、図５に示すように直方体をなし、その上面に上部取付板３０が延出してボルト孔３１が穿設され、その下面に下部取付板３２が延出してその先端に係止ツメ３３が設けられている。上記ボルト孔３１に合わせて、予め前記分煙機本体２における箱体１１の上板１４にボルト孔１７が穿設され、上記係止ツメ３３にあわせて、予め箱体１１の底板１２に係止孔１８が穿設されている。したがって、箱体１１の底板１２の係止孔１８に下部取付板３２の係止ツメ３３を差し込み、箱体１１の上板１４のボルト孔１７に上部取付板３０のボルト孔３１を合わせ、その上に機能拡大用天板１０を載せ、そのボルト孔を合わせてボルト締めすれば、分煙機本体２に機能拡大用ボックス３を取り付けて、拡大した機能を有する分煙機１となる。そして、分煙機本体２の箱体１１にボルト孔１７及び係止孔１８を予め穿設してあるから、図６、７に示すように、機能拡大用天板１０に代えて、通常天板１０ａを分煙機本体２の箱体１１に取り付けて、通常型分煙機１ａとしても使用出来、かつ拡大した機能を有する分煙機１としても使用出来るものである。
【００１６】
この機能拡大用ボックス３は、この実施例では灰皿を内蔵して別体の灰皿を置くことによるデメリット、前述の灰皿内の灰がこぼれたり、飛散したり、灰皿が行方不明になったりして分煙機周辺が汚れ、吸殻が分煙機周辺に投棄されたりするデメリットを改善するという、機能拡大を目指すものである。したがって、この機能拡大用ボックス３は、灰皿を内蔵する空間を有し、あわせて機能拡大用天板１０には灰皿用孔１９が穿設され、これらにより自然消煙式灰皿３４が装着保持される。なお、この機能拡大用ボックス３は、灰皿機能を付与するものであるが、無論これに限定されない。
【００１７】
この自然消煙式灰皿３４は、図８に示すように、吸殻収容筒体３５に吸殻導入部３６を有する蓋３７を着脱自在に取り付け、吸殻導入部３６はこれの入口側開口３８の中心軸線から外れた位置に出口側開口３９を位置させてなり、更に自然消煙式灰皿３４は外筒４０内に収容され、この外筒４０は、入口側開口３８に会合する導入部４１を有する外筒蓋４２が被され、灰皿組品４３が構成されている。なお、図８中、４４は前記灰皿用孔１９に外筒４０を保持させるための外鍔であり、４５は外筒４０から自然消煙式灰皿３４を取り出すための吊り具であり、４６は外筒４０に自然消煙式灰皿３４を保持させるための内鍔である。
【００１８】
この自然消煙式灰皿３４によれば、吸殻導入部３６からまだ火の付いた吸殻が吸殻収容筒体３５内に入り、空気より１．５倍ほどの比重のある炭酸ガスが充満して酸欠状態となっていると、吸殻の火は消える。吸殻収容筒体３５内の温度が上がって、上昇気流が生じても出口側開口３９の位置が入口側開口３８の中心軸線から外れているから、外部に出づらく吸殻収容筒体３５内の炭酸ガスが外部の空気と置換することがほとんど生じず、吸殻収容筒体３５内の酸欠状態は維持される。
【００１９】
そして、前記空気清浄装置７は、空気吸引口４を介して分煙機本体２内に入った煙草の煙などの汚染空気を清浄化するもので、汚染空気中の粗大粒子を除去し空気吸引口４の下流にある箱体１１の開口１５及び吸引孔２３に取り付けられているプレフィルター５０及び５０ａと、このプレフィルター５０及び５０ａ通過後の微細粒子を除去する電気集塵機５１と、臭気成分を除去する脱臭フィルター５０ｂとからなる。
【００２０】
電気集塵機５１は、図９に示すように２段式であり、コロナ放電により空気中の微細粒子を荷電する荷電部５２と、この荷電部５２により荷電された微細粒子をクーロン力により捕捉するための正電極板５３及び負電極板５４を備えた集塵部５５と、これら荷電部５２及び集塵部５５に高電圧をかける高圧電源５６とからなる。
【００２１】
前記荷電部５２は、イオン化線５７とイオン化電極５８とからなり、イオン化線５７は前記高圧電源５６のコロナ電源５６ａのプラス極５９に、イオン化電極５８はコロナ電源５６ａのマイナス極６０にそれぞれ接続されている。
【００２２】
前記集塵部５５は、互いに平行に配設した複数の正電極板５３と、該複数の正電極板５３の間に所定間隔を保持して互いに平行に配設した複数の負電極板５４と、複数の正電極板５３と複数の負電極板５４との間に高電圧を印加することによりこれら複数の正電極板５３と複数の負電極板５４との間に電荷を蓄積させる高圧電源５６の集塵電源５６ｂと、該集塵電源５６ｂと複数の正電極板５３との間に介在し少なくとも正電極板５３を１枚おきに直列に接続した高抵抗体６１と、を具備している。そして、正電極板５３は前記高圧電源部５６の集塵電源５６ｂのプラス極６２に、負電極板５４は集塵電源５６ｂのマイナス極６３にそれぞれ接続されている。そして、コロナ電源５６ａのマイナス極６０及び集塵電源５６ｂのマイナス極６３は共にアースされている。なお、前記高圧電源５６のコロナ電源５６ａの電圧は、６０００ボルトから９０００ボルトの範囲であり、集塵電源５６ｂの電圧は、２０００ボルトから５０００ボルトの範囲である。
【００２３】
そして、正電極板５３及び負電極板５４は、ともに金属で作られ、並列に接続され高電圧が印加されるから、一対の正電極板５３及び負電極板５４間は空気を誘電体とするコンデンサーと化すから、電荷（Ｑ）＝静電容量（Ｃ）・電位差（Ｖ）で定まる電荷が蓄えられることになる。
【００２４】
前記高抵抗体６１は、図９では２枚の正電極板５３に対して、１個の高抵抗体６１を直列に接続した状態を示すが、３枚あるいはそれ以上の正電極板５３に対して、１個の高抵抗体６１を直列に接続しても良い。そして、高抵抗体６１は、１０５〜１０１２Ωの範囲のものが選定され、この範囲に入るものであれば、特に限定が無い。環境面からはセラミックス製抵抗体が良く、特にフェライト製のものは、入手が容易であるし、安定供給の面、コストの面から現在のところ最適である。当然樹脂製のものも採用し得るが、廃棄時、環境ホルモンやダイオキシンの発生等何かと問題が多く、現状ではベターでない。
【００２５】
また、図１０に示すような電気集塵機５１ａであっても良く、この電気集塵機５１ａと図９の電気集塵機５１との相違点は、高圧電源５６と複数の負電極板５４との間にも高抵抗体６１ａを介在させ、少なくとも負電極板５４一枚おきに直列に接続してなり、一対の正電極板５３及び負電極板５４に絶縁破壊が起き、正電極板５３側に接続した高抵抗体６１ａが破壊されても、放電規模が常時縮小され、放電による電圧及び電流の少なくとも一方の変化を検知出来る点にある。その他の構成・作用については、図９の電気集塵機５１と同様なので、図１０に符号を付してその説明を省略する。
【００２６】
人感知センサ６５は、図１１に示すように、前記分煙機本体２における箱体１１の取り外し出来る側板６６の上方に取り付けられている。その横に操作スイッチ６７が取り付けられている。そして、この人感知センサ６５による人の有無の感知情報により、前記送風機６及び空気清浄装置７を作動・停止させる。なお、操作スイッチ６７をオンすることによって、手動で送風機６及び空気清浄装置７を作動させることが出来るようになっている。
【００２７】
次に、上記構成になる分煙機１の使用状態を説明する。
まず、通常型分煙機１ａを拡大した機能を有する分煙機１にするには、図５、７に示すように、通常型分煙機１ａから竜巻式吸引装置１６と共に通常天板１０ａを外し、次に、通常天板１０ａから竜巻式吸引装置１６を外し、その分煙機本体２に２個の機能拡大用ボックス３を取り付けて、その上に機能拡大用天板１０を載せボルト締めし、さらに、機能拡大用天板１０に先程外した竜巻式吸引装置１６を取り付け、その灰皿用孔１９に自然消煙式灰皿３４を含む灰皿組品４３を通して、機能拡大用ボックス３内に収容装着すればよい。また、分煙機１から通常型分煙機１ａにするには、上記操作の逆を行えばよい。
【００２８】
そして、分煙機１をキャスター１３を働かせて設置場所に移動し、動かないようにし電源線８を電源に接続して据え付けを終了する。次に、分煙機１に人が近づき人感知センサ６５が感知するか、手動で操作スイッチ６７をオンすると、送風機６が作動し、竜巻式吸引装置１６の吸引開口２６及び２６ａ並びに吸引孔２３から空気を吸引するから、吸引開口２６及び２６ａに空気が入ると共に切欠口２２から円筒体２０にも入り、空気流と側壁２１との間に不連続面が出来、図４に示すように、小さな渦７０が多数発生する。この多数の渦７０の軸方向、すなわち、吸引孔２３から空気を吸引しているから、多数の渦７０のエネルギーを収束させ、竜巻ｔのコアを形成し、このコアの回りを自由渦が旋回して、空気を吸引孔２３に向かう竜巻ｔにするから、ここに竜巻ｔを人工的に発生させるのである。すなわち、円筒体２０内にその長手方向全体に伸びた竜巻ｔが発生しているのである。
【００２９】
したがって、分煙機１の周辺で人が煙草を吸い煙が出ると、上記竜巻ｔの特性である渦収束力でより広い範囲にある煙を空気と共に巻き込んで、吸引孔２３からボックス２７、空気吸引口４、開口１５を経由して箱体１１内に入る。加えて、吸引開口２６からも空気吸引口４、開口１５を経由して箱体１１内に入り、さらに吸引開口２６ａからもボックス２７、空気吸引口４、開口１５を経由して箱体１１内に入るから、死角なく煙を空気と共に吸引している。吸引孔２３からの煙はプレフィルター５０ａ、５０により粗大粒子を除去され、吸引開口２６、２６ａからの煙はプレフィルター５０により粗大粒子を除去される。次に、電気集塵機５１により微細粒子が捕捉され、さらに、脱臭フィルター５０ｂにより臭気成分が除去されて、清浄空気となって、空気排出口５から外部に排出される。
【００３０】
煙草を吸い終わると、人は火を消し吸殻を自然消煙式灰皿３４に入れるが、火の付いたままの吸殻を自然消煙式灰皿３４に入れても、吸殻収容筒体３５内は空気より比重が１．５倍ほどの炭酸ガスが充満して酸欠状態となっているから、吸殻の火は直ぐに消える。吸殻収容筒体３５が吸殻で一杯となると、外筒４０から外筒蓋４２を外し、吊り具４４をつかみ自然消煙式灰皿３４を外筒４０から取り出し、自然消煙式灰皿３４から蓋３７を外して吸殻を捨てる。吸殻収容筒体３５に蓋３７をし、自然消煙式灰皿３４を外筒４０に入れ外筒蓋４２を被せる。自然消煙式灰皿３４内で吸殻が燃えて炭酸ガスが充満して酸欠状態となると、再び火の付いたままの吸殻を自然消煙式灰皿３４に入れても、吸殻の火は直ぐに消えるようになる。
【００３１】
一方、粗大粒子がプレフィルター５０ａ、５０により除去されないで、電気集塵機５１に入った場合は以下の通りとなる。通常、図９の矢線Ｋ方向から微細粒子を含んだ空気が電気集塵機５１内に入ると、荷電部５２のコロナ放電により空気中の微細粒子を荷電し、さらに、集塵部５５に入り、その正電極板５３及び負電極板５４にて荷電された微細粒子をクーロン力により捕捉する。何らかの原因により一対の正電極板５３及び負電極板５４に粗大粒子が入る異常事態が生ずると、絶縁破壊が生じ、Ｑ＝Ｃ・Ｖで定まる電荷が放電し、放電音であるパチパチ音が発生する。同時に残りの全ての正電極板５３及び負電極板５４に蓄えられた電荷が回り込み放電しようとするが、正電極板５３の１枚おきに直列に接続された高抵抗体６１により一定値に収束され阻止されて、放電する電荷量が少なくなり、パチパチ音が低く押さえられる。なお、この際、図９中、Ａ点で絶縁破壊が起きた場合は、隣接するＢ点、Ｃ点に蓄えられた電荷は回り込みＡ点で放電するから、合計三対の正電極板５３及び負電極板５４間に蓄えられた電荷が放電することになり、高圧電源５６の集塵電源５６ｂの電圧及び電流の少なくとも一方の変化が大きくなり、検知可能となって、所定時間高電圧の印加を停止することが出来、火災など不測の事態にいたることがなくなる。
【００３２】
そして、分煙機１の周辺から人が去ってそれを人感知センサ６５が感知するか、手動で操作スイッチ６７をオフすると、分煙機１の運転を停止する。あとは上記した分煙機１の使用状態が繰り返されることになる。
したがって、室内外を問わず本発明の分煙機１を別置きにすれば、室内の場合には空気調和装置と関係なく、喫煙による煙を含んだ空気を速やかに排除し、清浄空気とすることが出来、特別に喫煙所などを設けなくても良く、あとで別な機能を付与することも容易に実現できる。
【００３３】
図１２は、本発明の他の実施形態を示すので、この分煙機１ｂと図１〜１１の実施形態との相違点は、竜巻式吸引装置１６の代わりに、二重天板７１を設けた点にある。すなわち、二重天板７１はネット状物７２の上に天笠７３を設けたもので、煙草の煙はネット状物７２を通過して空気吸引口４に入るものである。その他の構成・作用については、図１〜１１の実施形態と同様なので図面に符号を付してその説明を省略する。
【００３４】
以上、本発明の実施形態を説明したが、具体的な構成はこれに限定されず、本発明の要旨を逸脱しない範囲での変更・追加、各請求項における他の組み合わせに係るものも、本発明の範囲内である。
【００３５】
【発明の効果】
以上詳述したように、本発明の分煙機によれば、以下のような効果がある。
請求項１記載の発明は、機能拡大用ボックスを分煙機本体に着した分その回りに居ることの出来る喫煙者が増える。そして、自然消煙式灰皿の吸殻導入部からまだ火の付いた吸殻が吸殻収容筒体内に入った場合、吸殻収容筒体内は既に投入された吸殻の燃焼により、炭酸ガスが充満して酸欠状態となっているから、吸殻の火は消える。仮に、吸殻収容筒体内の温度が上がって、上昇気流が生じても出口側開口の位置が入口側開口の中心軸線から外れているから、外部に出づらく吸殻収容筒体内の炭酸ガスが外部の空気と置換することがほとんど生じず、吸殻収容筒体内の酸欠状態は維持される。
【００３６】
したがって、後付けで利用喫煙者を増やす機能を容易に拡大出来、しかも、吸殻からの煙による弊害や火災などの心配がほとんど無くなる。
【００３７】
請求項２記載の発明は、高圧電源と複数の正電極板との間に少なくとも正電極板１枚おきに直列に高抵抗体を接続してあるから、絶縁破壊が発生した一対の正電極板及び負電極板の間以外の、他の残り多数の正電極板及び負電極板の間に蓄えられていた電荷は、直列の高抵抗体に阻まれて一定値に収束し放電規模が常時縮小し放電音が小さくなり、且つ放電による電圧及び電流の少なくとも一方の変化を検知出来る。したがって、放電音であるパチパチ音が低いのに、放電による電圧あるいは電流の変化を検知出来、電源供給を一時止め、火災などの不測の事態の発生を防止出来る効果がある。
【００３８】
請求項３記載の発明は、正電極板側に接続した高抵抗体が破壊されても、放電規模が常時縮小し放電音が小さくなり、且つ放電による電圧及び電流の少なくとも一方の変化を検知出来る。したがって、仮に正電極板側の高抵抗体が破壊されたとしても、放電音であるパチパチ音が低く、放電による電圧あるいは電流の変化を検知出来、電源供給を一時止め、火災などの不測の事態の発生を防止出来る効果がある。
【００３９】
請求項４記載の発明は、人感知センサにより人の有無を感知しない限り、送風機及び空気清浄装置を作動・停止させない。したがって、上記効果に加えて、作動開始や停止忘れが無くなり、煙草の煙などが発生する蓋然性のある場合にのみ確実に清浄化機能を働かせることが出来、余分なメンテナンスを行う必要もなければ、電気代を余計に支払う必要もなくなる。
【図面の簡単な説明】
【図１】本発明の実施形態を示す分煙機の斜視図。
【図２】本発明の実施形態を示す分煙機の断面図。
【図３】本発明の実施形態を示す分煙機の構成要素である竜巻式吸引装置の断面図。
【図４】本発明の実施形態を示す分煙機の構成要素である竜巻式吸引装置の断面図。
【図５】本発明の実施形態を示す分煙機の組み立て状態の斜視図。
【図６】本発明の他の実施形態を示す分煙機の斜視図。
【図７】本発明の他の実施形態を示す分煙機の組み立て状態の斜視図。
【図８】本発明の実施形態を示す分煙機の構成要素である自然消煙式灰皿の断面図。
【図９】本発明の実施形態を適用する電気集塵装置の回路図。
【図１０】本発明の他の実施形態を適用する電気集塵装置の回路図。
【図１１】本発明の実施形態を示す分煙機の正面図。
【図１２】本発明の他の実施形態を示す分煙機の正面図。
【図１３】従来例を示す断面図。
【符号の説明】
１、１ｂ、ａ                分煙機
１ａ                        通常型分煙機
２、ｂ                      分煙機本体
３                          機能拡大用ボックス
４、ｃ                      空気吸引口
５、ｄ                      空気排出口
６、ｅ                      送風機
７、ｆ                      空気清浄装置
８                          電源線
１０                        機能拡大用天板
１０ａ                      通常天板
１１                        箱体
１２                        底板
１３                        キャスター
１４                        上板
１５                      開口
１６                        竜巻式吸引装置
１７、３１                  ボルト孔
１８                        係止孔
１９                        灰皿用孔
２０                        円筒体
２１                        側壁
２２                        切欠口
２３                        吸引孔
２４                        側板
２５、７３                  天笠
２６、２６ａ                吸引開口
２７                        ボックス
２８                        ガードバー
３０                        上部取付板
３２                        下部取付板
３３                        係止ツメ
３４                        自然消煙式灰皿
３５                        吸殻収容筒体
３６                        吸殻導入部
３７                        蓋
３８                        入口側開口
３９                        出口側開口
４０                        外筒
４１                        導入部
４２                        外筒蓋
４３                        灰皿組品
４４                        外鍔
４５                        吊り具
４６                        内鍔
５０、５０ａ、ｇ            プレフィルター
５０ｂ、ｉ                  脱臭フィルター
５１、５１ａ、ｈ            電気集塵機
５２                        荷電部
５３                        正電極板
５４                        負電極板
５５                        集塵部
５６                        高圧電源
５６ａ                      コロナ電源
５６ｂ                      集塵電源
５７                        イオン化線
５８                        イオン化電極
５９、６２                  プラス極
６０、６３                  マイナス極
６１、６１ａ                高抵抗体
６５                        人感知センサ
６６                        側板
６７                        操作スイッチ
７０                        渦
７１                        二重天板
７２                        ネット状物
ｊ                          天板
ｋ                          孔
ｌ                          灰皿
ｔ                          竜巻
【図１】
0004013102.tif 000002
【図２】
0004013102.tif 000003
【図３】
0004013102.tif 000004
【図４】
0004013102.tif 000005
【図５】
0004013102.tif 000006
【図６】
0004013102.tif 000007
【図７】
0004013102.tif 000008
【図８】
0004013102.tif 000009
【図９】
0004013102.tif 000010
【図１０】
0004013102.tif 000011
【図１１】
0004013102.tif 000012
【図１２】
0004013102.tif 000013
【図１３】
0004013102.tif 000014